(57)【特許請求の範囲】
【請求項１】
第１無線基地局が、第２無線基地局に対して、無線周波数チャネル番号及び該無線周波数チャネル番号の等価バンド情報を通知する工程と、
前記第２無線基地局が、前記無線周波数チャネル番号に対応するバンド情報を算出する工程と、
前記第２無線基地局が、移動局から、該移動局が対応するバンド情報である移動局対応バンド情報を取得する工程と、
前記第２無線基地局が、前記バンド情報と前記等価バンド情報と前記移動局対応バンド情報とに基づいて、前記移動局を前記第１無線基地局配下のセルにハンドオーバさせるか否かについて判定する工程とを有することを特徴とする移動通信方法。
【請求項２】
第１無線基地局が、第２無線基地局に対して、第１無線周波数チャネル番号及び第２無線周波数チャネル番号を通知する工程と、
前記第２無線基地局が、前記第１無線周波数チャネル番号の中心周波数と前記第２無線周波数チャネル番号の中心周波数とが一致するか否かについて判定する工程と、
前記第２無線基地局が、前記第１無線周波数チャネル番号に対応する第１バンド情報及び前記第２無線周波数チャネル番号に対応する第２バンド情報を算出する工程と、
前記第２無線基地局が、移動局から、該移動局が対応するバンド情報である移動局対応バンド情報を取得する工程と、
前記第２無線基地局が、前記第１バンド情報と前記第２バンド情報と前記移動局対応バンド情報と前記判定結果とに基づいて、前記移動局を前記第１無線基地局配下のセルにハンドオーバさせるか否かについて判定する工程とを有することを特徴とする移動通信方法。
【請求項３】
隣接する無線基地局から、無線周波数チャネル番号及び該無線周波数チャネル番号の等価バンド情報を取得するように構成されている第１取得部と、
前記無線周波数チャネル番号に対応するバンド情報を算出するように構成されている算出部と、
移動局から、該移動局が対応するバンド情報である移動局対応バンド情報を取得するように構成されている第２取得部と、
前記バンド情報と前記等価バンド情報と前記移動局対応バンド情報とに基づいて、前記移動局を前記第１無線基地局配下のセルにハンドオーバさせるか否かについて判定するように構成されている判定部とを具備することを特徴とする無線基地局。
【請求項４】
隣接する無線基地局から、第１無線周波数チャネル番号及び第２無線周波数チャネル番号を取得するように構成されている第１取得部と、
前記第１無線周波数チャネル番号の中心周波数と前記第２無線周波数チャネル番号の中心周波数とが一致するか否かについて判定する第１判定部と、
前記第１無線周波数チャネル番号に対応する第１バンド情報及び前記第２無線周波数チャネル番号に対応する第２バンド情報を算出するように構成されている算出部と、
移動局から、該移動局が対応するバンド情報である移動局対応バンド情報を取得するように構成されている第２取得部と、
前記第１バンド情報と前記第２バンド情報と前記移動局対応バンド情報と前記判定結果とに基づいて、前記移動局を前記第１無線基地局配下のセルにハンドオーバさせるか否かについて判定するように構成されている第２判定部とを具備することを特徴とする無線基地局。
【発明の詳細な説明】
【技術分野】
【０００１】
本発明は、移動通信方法及び無線基地局に関する。
【背景技術】
【０００２】
ＬＴＥ（Ｌｏｎｇ  Ｔｅｒｍ  Ｅｖｏｌｕｔｉｏｎ）方式では、各セルは、１つのＢａｎｄ（周波数帯域）に対して対応するように構成されている。
【０００３】
一方、移動局ＵＥは、自身が対応するＢａｎｄ（すなわち、認証試験に合格したＢａｎｄ）に対応しているセルにおいてのみ接続処理を行うことができるように構成されている。
【０００４】
すなわち、移動局ＵＥは、自身が対応するＢａｎｄ（すなわち、認証試験に合格したＢａｎｄ）に対応していないセルでは接続処理を行うことができないように構成されている。
【０００５】
したがって、無線線基地局は、移動局ＵＥが対応するＢａｎｄに対応していないセルに対して、かかる移動局ＵＥをハンドオーバさせるべきではない。
【先行技術文献】
【非特許文献】
【０００６】
【非特許文献１】３ＧＰＰ寄書Ｒ２-１１５７４６
【非特許文献２】３ＧＰＰ寄書Ｒ２-１１６０８２
【非特許文献３】３ＧＰＰ寄書Ｒ２-１１６０７５
【非特許文献４】３ＧＰＰ寄書Ｒ２-１１６１７０
【非特許文献５】３ＧＰＰ寄書Ｒ２-１１６０８３
【非特許文献６】３ＧＰＰ寄書Ｒ２-１１５９１１
【発明の概要】
【発明が解決しようとする課題】
【０００７】
ＬＴＥ-Ａｄｖａｎｃｅｄ方式では、「Ｅｑｕｉｖａｌｅｎｔ  Ｂａｎｄ」が適用可能である。かかるＥｑｕｉｖａｌｅｎｔ  Ｂａｎｄを適用することによって、各セルは、複数のＢａｎｄに対して対応することができるようになる。
【０００８】
ここで、あるＢａｎｄは、かかるＢａｎｄのＥｑｕｉｖａｌｅｎｔ  Ｂａｎｄに重複するように構成されている。
【０００９】
したがって、あるＢａｎｄ内の無線周波数チャネルの中心周波数と同一の中心周波数を有する無線周波数チャネルが、かかるＢａｎｄのＥｑｕｉｖａｌｅｎｔ  Ｂａｎｄ内に存在し得る。
【００１０】
そのため、無線基地局ｅＮＢは、Ｅｑｕｉｖａｌｅｎｔ  Ｂａｎｄとして、移動局ＵＥが対応するＢａｎｄに対応しているセルに対して、かかる移動局ＵＥをハンドオーバさせることができる。
【００１１】
ただし、図９に示すように、セル＃１（ハンドオーバ元セル）及びセル＃２（ハンドオーバ先セル）が対応しているＥｑｕｉｖａｌｅｎｔ  Ｂａｎｄが異なる場合（例えば、セル＃１がＢａｎｄ＃１９に対応しており、セル＃２がＢａｎｄ＃２６に対応している場合）には、かかるＢａｎｄ＃１９/＃２６における上り送信の干渉規定が異なるため、無線基地局ｅＮＢは、Ｂａｎｄ＃２６に対応していない移動局ＵＥをセル＃２にハンドオーバさせるべきではない。
【００１２】
しかしながら、現在のＬＴＥ-Ａｄｖａｎｃｅｄ方式では、各無線基地局ｅＮＢは、隣接する無線基地局配下のセルにおいて対応しているＥｑｕｉｖａｌｅｎｔ  Ｂａｎｄについて知ることができないという問題点があった。
【００１３】
そこで、本発明は、上述の課題に鑑みてなされたものであり、各無線基地局ｅＮＢは、隣接する無線基地局配下のセルにおいて対応しているＥｑｕｉｖａｌｅｎｔ  Ｂａｎｄについて知ることができる移動通信方法及び無線基地局を提供することを目的とする。
【課題を解決するための手段】
【００１４】
本発明の第１の特徴は、移動通信方法であって、第１無線基地局が、第２無線基地局に対して、無線周波数チャネル番号及び該無線周波数チャネル番号の等価バンド情報を通知する工程と、前記第２無線基地局が、前記無線周波数チャネル番号に対応するバンド情報を算出する工程と、前記第２無線基地局が、移動局から、該移動局が対応するバンド情報である移動局対応バンド情報を取得する工程と、前記第２無線基地局が、前記バンド情報と前記等価バンド情報と前記移動局対応バンド情報とに基づいて、前記移動局を前記第１無線基地局配下のセルにハンドオーバさせるか否かについて判定する工程とを有することを要旨とする。
【００１５】
本発明の第２の特徴は、移動通信方法であって、第１無線基地局が、第２無線基地局に対して、第１無線周波数チャネル番号及び第２無線周波数チャネル番号を通知する工程と、前記第２無線基地局が、前記第１無線周波数チャネル番号の中心周波数と前記第２無線周波数チャネル番号の中心周波数とが一致するか否かについて判定する工程と、前記第２無線基地局が、前記第１無線周波数チャネル番号に対応する第１バンド情報及び前記第２無線周波数チャネル番号に対応する第２バンド情報を算出する工程と、前記第２無線基地局が、移動局から、該移動局が対応するバンド情報である移動局対応バンド情報を取得する工程と、前記第２無線基地局が、前記第１バンド情報と前記第２バンド情報と前記移動局対応バンド情報と前記判定結果とに基づいて、前記移動局を前記第１無線基地局配下のセルにハンドオーバさせるか否かについて判定する工程とを有することを要旨とする。
【００１６】
本発明の第３の特徴は、無線基地局であって、隣接する無線基地局から、無線周波数チャネル番号及び該無線周波数チャネル番号の等価バンド情報を取得するように構成されている第１取得部と、前記無線周波数チャネル番号に対応するバンド情報を算出するように構成されている算出部と、移動局から、該移動局が対応するバンド情報である移動局対応バンド情報を取得するように構成されている第２取得部と、前記バンド情報と前記等価バンド情報と前記移動局対応バンド情報とに基づいて、前記移動局を前記第１無線基地局配下のセルにハンドオーバさせるか否かについて判定するように構成されている判定部とを具備することを要旨とする。
【００１７】
本発明の第４の特徴は、無線基地局であって、隣接する無線基地局から、第１無線周波数チャネル番号及び第２無線周波数チャネル番号を取得するように構成されている第１取得部と、前記第１無線周波数チャネル番号の中心周波数と前記第２無線周波数チャネル番号の中心周波数とが一致するか否かについて判定する第１判定部と、前記第１無線周波数チャネル番号に対応する第１バンド情報及び前記第２無線周波数チャネル番号に対応する第２バンド情報を算出するように構成されている算出部と、移動局から、該移動局が対応するバンド情報である移動局対応バンド情報を取得するように構成されている第２取得部と、前記第１バンド情報と前記第２バンド情報と前記移動局対応バンド情報と前記判定結果とに基づいて、前記移動局を前記第１無線基地局配下のセルにハンドオーバさせるか否かについて判定するように構成されている第２判定部とを具備することを要旨とする。
【発明の効果】
【００１８】
以上説明したように、本発明によれば、各無線基地局ｅＮＢは、隣接する無線基地局配下のセルにおいて対応しているＥｑｕｉｖａｌｅｎｔ  Ｂａｎｄについて知ることができる移動通信方法及び無線基地局を提供することができる。
【図面の簡単な説明】
【００１９】
【図１】本発明の第１の実施形態に係る移動通信システムの全体構成図である。
【図２】本発明の第１の実施形態に係る無線基地局の機能ブロック図である。
【図３】本発明の第１の実施形態に係る無線基地局間で送受信される情報要素「Ｓｅｒｖｅｄ  Ｃｅｌｌ  Ｉｎｆｏｒｍａｔｉｏｎ」の一例について示す図である。
【図４】本発明の第１の実施形態に係る無線基地局間で送受信される情報要素「Ｘ２  Ｓｅｔｕｐ  Ｒｅｑｕｅｓｔ」及び情報要素「Ｘ２  Ｓｅｔｕｐ  Ｒｅｓｐｏｎｓｅ」の一例について示す図である。
【図５】本発明の第１の実施形態に係る無線基地局間で送受信される情報要素「ｅＮＢ  Ｃｏｎｆｉｇｕｒａｔｉｏｎ  Ｕｐｄａｔｅ」の一例について示す図である。
【図６】本発明の第１の実施形態に係る無線基地局で中心周波数を算出する際に用いられるテーブルの一例を示す図である。
【図７】本発明の第１の実施形態に係る無線基地局の動作を示すフローチャートである。
【図８】本発明の変更例１に係る無線基地局で中心周波数を算出する方法の一例を示す図である。
【図９】従来の移動通信システムの問題点を説明するための図である。
【発明を実施するための形態】
【００２０】
（本発明の第１の実施形態に係る移動通信システム）
図１乃至図７を参照して、本発明の第１の実施形態に係る移動通信システムについて説明する。本実施形態を説明するための全図において、同一機能を有するものは同一符号を用い、繰り返しの説明は省略する。
【００２１】
図１に示すように、本実施形態に係る移動通信システムは、無線基地局ｅＮＢ＃１と、無線基地局ｅＮＢ＃２と、無線基地局ｅＮＢ＃３とを具備している。
【００２２】
無線基地局ｅＮＢ＃１と無線基地局ｅＮＢ＃２との間、無線基地局ｅＮＢ＃２と無線基地局ｅＮＢ＃３との間、及び、無線基地局ｅＮＢ＃３と無線基地局ｅＮＢ＃１との間は、Ｘ２インターフェイスにて接続されている。
【００２３】
ここで、無線基地局ｅＮＢ＃１配下のセル＃１は、Ｂａｎｄ＃１９に対応しており、Ｅｑｕｉｖａｌｅｎｔ  Ｂａｎｄとして、Ｂａｎｄ＃５/＃２６に対応しているものとする。
【００２４】
また、無線基地局ｅＮＢ＃２配下のセル＃２は、Ｂａｎｄ＃１９に対応しており、Ｅｑｕｉｖａｌｅｎｔ  Ｂａｎｄとして、Ｂａｎｄ＃２６に対応しているものとする。
【００２５】
さらに、無線基地局ｅＮＢ＃３配下のセル＃３は、Ｂａｎｄ＃１に対応しており、Ｅｑｕｉｖａｌｅｎｔ  Ｂａｎｄには対応していないものとする。
【００２６】
なお、Ｂａｎｄ＃５及びＢａｎｄ＃１９/＃２６は、重複するように構成されている。
【００２７】
無線基地局ｅＮＢ＃１/＃２/＃３の構成は、基本的に同一であるため、以下、代表して、無線基地局ｅＮＢ＃１の構成について説明する。
【００２８】
図２に示すように、無線基地局ｅＮＢ＃１は、送信部１０と、受信部１１と、Ｘ２インターフェイス１２と、判定部１３と、ハンドオーバ処理部１４とを具備している。
【００２９】
送信部１０は、セル＃１において、セル＃１において対応しているＢａｎｄを通知する「Ｂａｎｄ  Ｉｎｄｉｃａｔｏｒ」及びセル＃１において対応しているＥｑｕｉｖａｌｅｎｔ  Ｂａｎｄを通知する「Ｅｑｕｉｖａｌｅｎｔ  Ｂａｎｄ  Ｉｎｄｉｃａｔｏｒ」を報知するように構成されている。
【００３０】
例えば、送信部１０は、セル＃１において、Ｂａｎｄ＃１９を通知する「Ｂａｎｄ  Ｉｎｄｉｃａｔｏｒ」を通知すると共に、Ｂａｎｄ＃５/＃２６を通知する「Ｅｑｕｉｖａｌｅｎｔ  Ｂａｎｄ  Ｉｎｄｉｃａｔｏｒ」を報知するように構成されている。
【００３１】
ここで、かかる「Ｅｑｕｉｖａｌｅｎｔ  Ｂａｎｄ  Ｉｎｄｉｃａｔｏｒ」は、複数のＥｑｕｉｖａｌｅｎｔ  Ｂａｎｄを通知する場合には、例えば、Ｂａｎｄ＃５→Ｂａｎｄ＃２６というように、通信事業者が移動局に対して優先的に接続させたい順に通知するように構成されてもよい。
【００３２】
なお、送信部１０は、１つのセルにおいて、「Ｂａｎｄ  Ｉｎｄｉｃａｔｏｒ」によって、１つのＢａｎｄのみを通知するように構成されている。
【００３３】
受信部１１は、セル＃１内に在圏する移動局ＵＥから、かかる移動局ＵＥが対応するＢａｎｄ情報（Ｂａｎｄを特定するための識別情報）であるＵＥ対応Ｂａｎｄ情報を取得するように構成されている。
【００３４】
Ｘ２インターフェイス１２は、隣接する無線基地局ｅＮＢ（例えば、無線基地局ｅＮＢ＃２/＃３）から、ＥＡＲＦＣＮ（Ｅ-ＵＴＲＡ  Ａｂｓｏｌｕｔｅ  Ｒａｄｉｏ  Ｆｒｅｑｕｅｎｃｙ  Ｃｈａｎｎｅｌ  Ｎｕｍｂｅｒ）及び当該ＥＡＲＦＣＮのＥｑｕｉｖａｌｅｎｔ  Ｂａｎｄ情報（Ｅｑｕｉｖａｌｅｎｔ  Ｂａｎｄを特定するための識別情報）を取得するように構成されている。
【００３５】
また、Ｘ２インターフェイス１２は、隣接する無線基地局ｅＮＢ（例えば、無線基地局ｅＮＢ＃２/＃３）に対して、ＥＡＲＦＣＮ及び当該ＥＡＲＦＣＮのＥｑｕｉｖａｌｅｎｔ  Ｂａｎｄ情報を通知するように構成されている。
【００３６】
例えば、図３に示すように、Ｘ２インターフェイス１２は、情報要素「Ｓｅｒｖｅｄ  Ｃｅｌｌ  Ｉｎｆｏｒｍａｔｉｏｎ」内の情報要素「ＦＤＤ  Ｉｎｆｏ」内の情報要素「ＵＬ  ＥＡＲＦＣＮ」及び「ＤＬ  ＥＡＲＦＣＮ」によって、ＵＬ/ＤＬ  ＥＡＲＦＣＮを通知するように構成されていてもよい。
【００３７】
また、Ｘ２インターフェイス１２は、情報要素「Ｓｅｒｖｅｄ  Ｃｅｌｌ  Ｉｎｆｏｒｍａｔｉｏｎ」内の情報要素「ＦＤＤ  Ｉｎｆｏ」内に情報要素「Ｅｑｕｉｖａｌｅｎｔ  Ｂａｎｄｓ」を追加し、かかる情報要素「Ｅｑｕｉｖａｌｅｎｔ  Ｂａｎｄｓ」によって、当該ＵＬ/ＤＬ  ＥＡＲＦＣＮのＥｑｕｉｖａｌｅｎｔ  Ｂａｎｄ情報を通知するように構成されていてもよい。
【００３８】
ここで、Ｘ２インターフェイス１２は、かかる情報要素「Ｅｑｕｉｖａｌｅｎｔ  Ｂａｎｄｓ」によって、複数のＥｑｕｉｖａｌｅｎｔ  Ｂａｎｄ情報を通知するように構成されていてもよい。
【００３９】
また、Ｘ２インターフェイス１２は、情報要素「Ｓｅｒｖｅｄ  Ｃｅｌｌ  Ｉｎｆｏｒｍａｔｉｏｎ」内の情報要素「ＴＤＤ  Ｉｎｆｏ」内の情報要素「ＥＡＲＦＣＮ」によって、ＥＡＲＦＣＮを通知するように構成されていてもよい。
【００４０】
また、Ｘ２インターフェイス１２は、情報要素「Ｓｅｒｖｅｄ  Ｃｅｌｌ  Ｉｎｆｏｒｍａｔｉｏｎ」内の情報要素「ＴＤＤ  Ｉｎｆｏ」内に情報要素「Ｅｑｕｉｖａｌｅｎｔ  Ｂａｎｄｓ」を追加し、かかる情報要素「Ｅｑｕｉｖａｌｅｎｔ  Ｂａｎｄｓ」によって、当該ＥＡＲＦＣＮのＥｑｕｉｖａｌｅｎｔ  Ｂａｎｄ情報を通知するように構成されていてもよい。
【００４１】
ここで、Ｘ２インターフェイス１２は、かかる情報要素「Ｅｑｕｉｖａｌｅｎｔ  Ｂａｎｄｓ」によって、複数のＥｑｕｉｖａｌｅｎｔ  Ｂａｎｄ情報を通知するように構成されていてもよい。
【００４２】
或いは、図４に示すように、Ｘ２インターフェイス１２は、「Ｘ２  Ｓｅｔｕｐ  Ｒｅｑｕｅｓｔ（Ｘ２インターフェイス設定要求信号）」又は「Ｘ２  Ｓｅｔｕｐ  Ｒｅｓｐｏｎｓｅ（Ｘ２インターフェイス設定応答信号）」内の情報要素「Ｎｅｉｇｈｂｏｕｒ  Ｉｎｆｏｒｍａｔｉｏｎ」内の情報要素「ＥＡＲＦＣＮ」によって、ＥＡＲＦＣＮを通知するように構成されていてもよい。
【００４３】
また、Ｘ２インターフェイス１２は、「Ｘ２  Ｓｅｔｕｐ  Ｒｅｑｕｅｓｔ」又は「Ｘ２  Ｓｅｔｕｐ  Ｒｅｓｐｏｎｓｅ」内の情報要素「Ｎｅｉｇｈｂｏｕｒ  Ｉｎｆｏｒｍａｔｉｏｎ」内に、情報要素「Ｅｑｕｉｖａｌｅｎｔ  Ｂａｎｄｓ」を追加し、かかる情報要素「Ｅｑｕｉｖａｌｅｎｔ  Ｂａｎｄｓ」によって、当該ＥＡＲＦＣＮのＥｑｕｉｖａｌｅｎｔ  Ｂａｎｄ情報を通知するように構成されていてもよい。
【００４４】
ここで、Ｘ２インターフェイス１２は、かかる情報要素「Ｅｑｕｉｖａｌｅｎｔ  Ｂａｎｄｓ」によって、複数のＥｑｕｉｖａｌｅｎｔ  Ｂａｎｄ情報を通知するように構成されていてもよい。
【００４５】
或いは、Ｘ２インターフェイス１２は、「ｅＮＢ  Ｃｏｎｆｉｇｕｒａｔｉｏｎ  Ｕｐｄａｔｅ（無線基地局設定更新信号）」内の情報要素「Ｓｅｒｖｅｄ  Ｃｅｌｌｓ  Ｔｏ  Ａｄｄ」又は「Ｓｅｒｖｅｄ  Ｃｅｌｌｓ  Ｔｏ  Ｍｏｄｉｆｙ」内の情報要素「Ｎｅｉｇｈｂｏｕｒ  Ｉｎｆｏｒｍａｔｉｏｎ」内の情報要素「ＥＡＲＦＣＮ」によって、ＥＡＲＦＣＮを通知するように構成されていてもよい。
【００４６】
また、Ｘ２インターフェイス１２は、「ｅＮＢ  Ｃｏｎｆｉｇｕｒａｔｉｏｎ  Ｕｐｄａｔｅ」内の情報要素「Ｓｅｒｖｅｄ  Ｃｅｌｌｓ  Ｔｏ  Ａｄｄ」又は「Ｓｅｒｖｅｄ  Ｃｅｌｌｓ  Ｔｏ  Ｍｏｄｉｆｙ」内の情報要素「Ｎｅｉｇｈｂｏｕｒ  Ｉｎｆｏｒｍａｔｉｏｎ」内に、情報要素「Ｅｑｕｉｖａｌｅｎｔ  Ｂａｎｄｓ」を追加し、かかる情報要素「Ｅｑｕｉｖａｌｅｎｔ  Ｂａｎｄｓ」によって、当該ＥＡＲＦＣＮのＥｑｕｉｖａｌｅｎｔ  Ｂａｎｄ情報を通知するように構成されていてもよい。
【００４７】
ここで、Ｘ２インターフェイス１２は、かかる情報要素「Ｅｑｕｉｖａｌｅｎｔ  Ｂａｎｄｓ」によって、複数のＥｑｕｉｖａｌｅｎｔ  Ｂａｎｄ情報を通知するように構成されていてもよい。
【００４８】
判定部１３は、隣接する無線基地局ｅＮＢ＃２/＃３から取得したＥＡＲＦＣＮに対応するＢａｎｄ情報を算出するように構成されている。
【００４９】
例えば、判定部１３は、図６に示すテーブルを参照して、隣接する無線基地局ｅＮＢ＃２/＃３から取得したＥＡＲＦＣＮに対応する「Ｅ-ＵＴＲＡ  Ｏｐｅｒａｔｉｎｇ  Ｂａｎｄ」に規定されている番号を、セル＃２/＃３が対応しているＢａｎｄ情報とする。
【００５０】
そして、判定部１３は、セル＃１内に在圏する移動局ＵＥから受信した「Ｍｅａｓｕｒｅｍｅｎｔ  Ｒｅｐｏｒｔ」に加えて、セル＃２/＃３が対応しているＢａｎｄ情報及びＥｑｕｉｖａｌｅｎｔ  Ｂａｎｄ情報と、かかる移動局ＵＥから取得したＵＥ対応バンド情報とに基づいて、かかる移動局ＵＥをセル＃２/＃３にハンドオーバさせるか否かについて判定するように構成されている。
【００５１】
例えば、判定部１３は、セル＃２が、ＢａｎｄとしてもＥｑｕｉｖａｌｅｎｔ  Ｂａｎｄとしても、移動局ＵＥが対応しているＢａｎｄ＃１/＃１９に対応していない場合には、かかる移動局ＵＥをセル＃２にハンドオーバさせるべきではないと判定するように構成されていてもよい。
【００５２】
一方、判定部１３は、セル＃３が、Ｅｑｕｉｖａｌｅｎｔ  Ｂａｎｄとして、移動局ＵＥが対応しているＢａｎｄ＃１９に対応している場合には、かかる移動局ＵＥをセル＃３にハンドオーバさせるべきであると判定するように構成されていてもよい。
【００５３】
ハンドオーバ処理部１４は、判定部１３による判定結果に基づいて、移動局ＵＥのハンドオーバ処理を行うように構成されている。
【００５４】
以下、図７を参照して、本実施形態に係る無線基地局ｅＮＢ＃１の動作の一例について説明する。
【００５５】
ステップＳ１０１において、無線基地局ｅＮＢ＃１は、隣接する無線基地局ｅＮＢ＃２/＃３から、ＥＡＲＦＣＮ及び当該ＥＡＲＦＣＮのＥｑｕｉｖａｌｅｎｔ  Ｂａｎｄ情報を取得する。
【００５６】
ここで、無線基地局ｅＮＢ＃１は、隣接する無線基地局ｅＮＢ＃２/＃３から取得したＥＡＲＦＣＮに基づいて、セル＃２/＃３において対応しているＢａｎｄ情報を算出する。
【００５７】
ステップＳ１０２において、無線基地局ｅＮＢ＃１は、セル＃１内に在圏する移動局ＵＥから、かかる移動局ＵＥが対応するＢａｎｄ情報であるＵＥ対応Ｂａｎｄ情報を取得する。
【００５８】
ステップＳ１０３において、無線基地局ｅＮＢ＃１は、セル＃１内に在圏する移動局ＵＥから、「Ｍｅａｓｕｒｅｍｅｎｔ  Ｒｅｐｏｒｔ」を受信する。
【００５９】
ステップＳ１０４において、無線基地局ｅＮＢ＃１は、セル＃１内に在圏する移動局ＵＥから受信した「Ｍｅａｓｕｒｅｍｅｎｔ  Ｒｅｐｏｒｔ」に加えて、セル＃２/＃３が対応しているＢａｎｄ情報及びＥｑｕｉｖａｌｅｎｔ  Ｂａｎｄ情報と、かかる移動局ＵＥから取得したＵＥ対応バンド情報とに基づいて、かかる移動局ＵＥをセル＃２/＃３にハンドオーバさせるか否かについて判定する、すなわち、移動局ＵＥのハンドオーバ先セルを決定する。
【００６０】
本発明の第１の実施形態に係る移動通信システムによれば、無線基地局ｅＮＢ＃１は、上述の情報要素「Ｅｑｕｉｖａｌｅｎｔ  Ｂａｎｄｓ」によって、隣接する無線基地局配下のセルにおいて対応しているＥｑｕｉｖａｌｅｎｔ  Ｂａｎｄについて知ることができる。
【００６１】
また、本発明の第１の実施形態に係る移動通信システムによれば、上述の情報要素「Ｅｑｕｉｖａｌｅｎｔ  Ｂａｎｄｓ」を用いることによって、Ｅｑｕｉｖａｌｅｎｔ  Ｂａｎｄごとに、ＥＡＲＦＣＮを通知する必要がなく、また、無線基地局ｅＮＢ＃１において、ＥＡＲＦＣＮから、隣接する無線基地局配下のセルにおいて対応しているＢａｎｄを算出するという処理を省略することができる。
【００６２】
（変更例１）
図８を参照して、本発明の変更例１に係る移動通信システムについて説明する。以下、本発明の変更例１に係る移動通信システムについて、上述の第１の実施形態に係る移動通信システムとの相違点に着目して説明する。
【００６３】
本変更例１に係る移動通信システムでは、無線基地局ｅＮＢ＃１のＸ２インターフェイス１２は、隣接する無線基地局ｅＮＢ＃２/＃３から、ＥＡＲＦＣＮ＃１及びＥＡＲＦＣＮ＃２を取得するように構成されている。
【００６４】
ここで、本変更例１に係る移動通信システムでは、無線基地局ｅＮＢ＃１のＸ２インターフェイス１２は、隣接する無線基地局ｅＮＢ＃２/＃３から、ＥＡＲＦＣＮ＃１/＃２のＥｑｕｉｖａｌｅｎｔ  Ｂａｎｄ情報を取得しないものとする。
【００６５】
無線基地局ｅＮＢ＃１の判定部１３は、例えば、図６に示すテーブルを参照して、ＥＡＲＦＣＮ＃１に対応するＢａｎｄ情報＃１及びＥＡＲＦＣＮ＃２に対応するＢａｎｄ情報＃２を算出するように構成されている。
【００６６】
また、判定部１３は、ＥＡＲＦＣＮ＃１の中心周波数とＥＡＲＦＣＮ＃２の中心周波数とが一致するか否かについて判定するように構成されている。
【００６７】
例えば、判定部１３は、図８に示す式に従って、ＥＡＲＦＣＮ＃１の中心周波数及びＥＡＲＦＣＮ＃２の中心周波数を算出し、両者が一致するか否かについて判定するように構成されている。
【００６８】
さらに、判定部１３は、セル＃１内に在圏する移動局ＵＥから受信した「Ｍｅａｓｕｒｅｍｅｎｔ  Ｒｅｐｏｒｔ」に加えて、Ｂａｎｄ情報＃１とＢａｎｄ情報＃２とＵＥ対応Ｂａｎｄ情報と上述の判定結果（ＥＡＲＦＣＮ＃１の中心周波数とＥＡＲＦＣＮ＃２の中心周波数とが一致するか否かについての判定結果）とに基づいて、かかる移動局ＵＥをセル＃２/＃３にハンドオーバさせるか否かについて判定する、すなわち、ハンドオーバ先セルを決定するように構成されている。
【００６９】
例えば、判定部１３は、セル＃２が、移動局ＵＥが対応しているＢａｎｄ＃１/＃１９に対応していない場合には、かかる移動局ＵＥをセル＃２にハンドオーバさせるべきではないと判定するように構成されていてもよい。
【００７０】
一方、判定部１３は、セル＃３が、移動局ＵＥが対応しているＢａｎｄ＃１９に対応している場合には、かかる移動局ＵＥをセル＃３にハンドオーバさせるべきであると判定するように構成されていてもよい。
【００７１】
本発明の変更例１に係る移動通信システムによれば、無線基地局ｅＮＢ＃１は、隣接する無線基地局配下のセルから通知された複数のＥＡＲＦＣＮの中心周波数同士が一致するか否かについて判定することによって、隣接する無線基地局配下のセルにおいて対応しているＥｑｕｉｖａｌｅｎｔ  Ｂａｎｄについて知ることができる。
【００７２】
また、本発明の変更例１に係る移動通信システムによれば、既存の情報要素に変更を加えることなく、隣接する無線基地局配下のセルにおいて対応しているＥｑｕｉｖａｌｅｎｔ  Ｂａｎｄについて知ることができる。
【００７３】
以上に述べた本実施形態の特徴は、以下のように表現されていてもよい。
【００７４】
本実施形態の第１の特徴は、移動通信方法であって、無線基地局ｅＮＢ＃１（第１無線基地局）が、無線基地局ｅＮＢ＃２（第２無線基地局）に対して、ＥＡＲＦＣＮ（無線周波数チャネル番号）及びＥＡＲＦＣＮのＥｑｕｉｖａｌｅｎｔ  Ｂａｎｄ情報（等価バンド情報）を通知する工程と、無線基地局ｅＮＢ＃２が、ＥＡＲＦＣＮに対応するＢａｎｄ情報を算出する工程と、無線基地局ｅＮＢ＃２が、移動局ＵＥから、移動局ＵＥが対応するＢａｎｄ情報であるＵＥ対応Ｂａｎｄ情報（移動局対応バンド情報）を取得する工程と、無線基地局ｅＮＢ＃２が、Ｂａｎｄ情報とＥｑｕｉｖａｌｅｎｔ  Ｂａｎｄ情報とＵＥ対応Ｂａｎｄ情報とに基づいて、移動局ＵＥを無線基地局ｅＮＢ＃１配下のセルにハンドオーバさせるか否かについて判定する工程とを有することを要旨とする。
【００７５】
本実施形態の第２の特徴は、移動通信方法であって、無線基地局ｅＮＢ＃１が、無線基地局ｅＮＢ＃２に対して、ＥＡＲＦＣＮ＃１（第１無線周波数チャネル番号）及びＥＡＲＦＣＮ＃２（第２無線周波数チャネル番号）を通知する工程と、無線基地局ｅＮＢ＃２が、ＥＡＲＦＣＮ＃１の中心周波数とＥＡＲＦＣＮ＃２の中心周波数とが一致するか否かについて判定する工程と、無線基地局ｅＮＢ＃２が、ＥＡＲＦＣＮ＃１に対応するＢａｎｄ情報＃１（第１バンド情報）及びＥＡＲＦＣＮ＃２に対応するＢａｎｄ情報＃２（第２バンド情報）を算出する工程と、無線基地局ｅＮＢ＃２が、移動局ＵＥから、移動局ＵＥが対応するＢａｎｄ情報であるＵＥ対応Ｂａｎｄ情報を取得する工程と、無線基地局ｅＮＢ＃２が、Ｂａｎｄ情報＃１とＢａｎｄ情報Ｂａｎｄ＃２とＵＥ対応Ｂａｎｄ情報と上述の判定結果とに基づいて、移動局ＵＥを無線基地局ｅＮＢ＃１配下のセルにハンドオーバさせるか否かについて判定する工程とを有することを要旨とする。
【００７６】
本実施形態の第３の特徴は、無線基地局ｅＮＢ＃１であって、隣接する無線基地局ｅＮＢ＃２（又は、無線基地局ｅＮＢ＃３）から、ＥＡＲＦＣＮ及びＥＡＲＦＣＮのＥｑｕｉｖａｌｅｎｔ  Ｂａｎｄ情報を取得するように構成されているＸ２インターフェイス１２（第１取得部）と、ＥＡＲＦＣＮに対応するＢａｎｄ情報を算出するように構成されている判定部１３（算出部）と、移動局ＵＥから、移動局ＵＥが対応するＢａｎｄ情報であるＵＥ対応バンド情報を取得するように構成されている受信部１１（第２取得部）とを具備し、判定部１３は、Ｂａｎｄ情報とＥｑｕｉｖａｌｅｎｔ  Ｂａｎｄ情報とＵＥ対応バンド情報とに基づいて、移動局ＵＥを無線基地局ｅＮＢ＃２（又は、無線基地局ｅＮＢ＃３）配下のセルにハンドオーバさせるか否かについて判定するように構成されていることを要旨とする。
【００７７】
本実施形態の第４の特徴は、無線基地局ｅＮＢ＃１であって、隣接する無線基地局ｅＮＢ＃２（又は、無線基地局ｅＮＢ＃３）から、ＥＡＲＦＣＮ＃１及びＥＡＲＦＣＮ＃２を取得するように構成されているＸ２インターフェイス１２と、ＥＡＲＦＣＮ＃１の中心周波数とＥＡＲＦＣＮ＃２の中心周波数とが一致するか否かについて判定し、ＥＡＲＦＣＮ＃１に対応するＢａｎｄ情報＃１及びＥＡＲＦＣＮ＃２に対応するＢａｎｄ情報＃２を算出するように構成されている判定部１３と、移動局ＵＥから、移動局ＵＥが対応するＢａｎｄ情報であるＵＥ対応Ｂａｎｄ情報を取得するように構成されている受信部１１とを具備し、判定部１３は、Ｂａｎｄ情報＃１とＢａｎｄ情報＃２とＵＥ対応Ｂａｎｄ情報と上述の判定結果とに基づいて、移動局ＵＥを無線基地局ｅＮＢ＃１配下のセルにハンドオーバさせるか否かについて判定するように構成されていることを要旨とする。
【００７８】
なお、上述の無線基地局ｅＮＢの動作は、ハードウェアによって実施されてもよいし、プロセッサによって実行されるソフトウェアモジュールによって実施されてもよいし、両者の組み合わせによって実施されてもよい。
【００７９】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００８０】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、無線基地局ｅＮＢ内に設けられていてもよい。また、かかる記憶媒体及びプロセッサは、ディスクリートコンポーネントとして無線基地局ｅＮＢ内に設けられていてもよい。
【００８１】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００８２】
ｅＮＢ…無線基地局
１０…送信部
１１…受信部
１２…Ｘ２インターフェイス
１３…判定部
１４…ハンドオーバ処理部
【図１】
0005816563.tif 000002
【図２】
0005816563.tif 000003
【図３】
0005816563.tif 000004
【図４】
0005816563.tif 000005
【図５】
0005816563.tif 000006
【図６】
0005816563.tif 000007
【図７】
0005816563.tif 000008
【図８】
0005816563.tif 000009
【図９】
0005816563.tif 000010